(57)【要約】      （修正有）【課題】配線収納に好適な整合型事務機器収納枠を提供する。【解決手段】配線収納に好適な整合型事務機器収納枠は、枠体と長方形の板体３を含み、板体は両長辺と両短辺を含み、枠体は対称にかつ鉛直に設置した両支持枠を含み、支持枠はＥの字状を有し、１条の縦梁１と縦梁の上中下に位置する３条の横梁２を含み、縦梁が横梁に接続する側を手前側とし、横梁から反対側を裏側とし、板体は３枚あり、一対一対応に相対向する両横梁の間に設置され、その短辺が両横梁に固定的に接続され、縦梁側の一長辺に配線を収束する多数個の半円形の欠口４が設けられ、欠口は板体の一方側に位置するように形成され、欠口が位置する側の縦梁の裏側に裏側遮板５が回転可能に設けられている。【選択図】図１
0003216967.tif 000002
【実用新案登録請求の範囲】
【請求項１】
配線収納に好適な整合型事務機器収納枠であって、枠体と長方形の板体を含み、板体は両長辺と両短辺を含み、前記枠体は対称にかつ鉛直に設置した両支持枠を含み、前記支持枠はEの字状を有し、1条の縦梁と縦梁の上中下に位置する3条の横梁を含み、縦梁が横梁に接続する側を手前側とし、横梁から反対側を裏側としており、
前記板体は3枚あり、一対一対応に相対向する両横梁の間に設置されており、その短辺が両横梁に固定的に接続され、縦梁側の一長辺に多数個の半円形の欠口が設けられており、前記欠口が板体の一方側に位置するように形成され、前記欠口が位置する側の縦梁の裏側に裏側遮板が設けられ、前記裏側遮板はその一端が縦梁に枢支され、他端が欠口を遮蔽するように枠体の裏側に触れるまで回転可能であり、
隣り合う両板体の間に手前側遮板が設けられ、前記手前側遮板はその一端が他方の縦梁に枢支され、他端が欠口を遮蔽するように枠体の手前側に触れるまで回転可能であり、
前記枠体の底部にキャスターユニットが設けられていることを特徴とする配線収納に好適な整合型事務機器収納枠。
【請求項２】
前記裏側遮板は縦梁と高さが同一であることを特徴とする請求書１に記載の配線収納に好適な整合型事務機器収納枠。
【請求項３】
前記手前側遮板に矩形貫通穴が設けられていることを特徴とする請求書１に記載の配線収納に好適な整合型事務機器収納枠。
【考案の詳細な説明】
【技術分野】
【０００１】
本考案は、事務設備に属し、配線収納に好適な整合型事務機器収納枠に関する。
【背景技術】
【０００２】
オフィスにおいて、ファイルをプリントするレーザプリント、領収書を印刷するインクジェットプリント、ファックス、電話など、いろんな事務機器が使われている。これら電子機器は、個別に独立して放置されると空間が占められ、単純に重ねて放置することは無理である。また、その裏側に配線が複雑で、電源線や信号線などが接続されている。よく収納されないと配線はずいぶん混乱して外観に悪影響を与える。従来において、事務機器を重ねて放置するための収納枠がいくつか市販されているが、配線の整理と収納は快適に解決されていない。
【考案の概要】
【考案が解決しようとする課題】
【０００３】
本考案は上記問題を解決することを目的とし、配線収納に好適な整合型事務機器収納枠を提供する。
【課題を解決するための手段】
【０００４】
上記目的を解決するために、本考案は、下記の技術方案を採用する。
配線収納に好適な整合型事務機器収納枠は、枠体と長方形の板体を含み、板体は両長辺と両短辺を含み、前記枠体は対称にかつ鉛直に設置した両支持枠を含み、前記支持枠はEの字状を有し、1条の縦梁と縦梁の上中下に位置する3条の横梁を含み、縦梁が横梁に接続する側を手前側とし、横梁から反対側を裏側としており、前記板体は3枚あり、一対一対応に相対向する両横梁の間に設置されており、その短辺が両横梁に固定的に接続され、縦梁側の一長辺に多数個の半円形の欠口が設けられており、前記欠口が板体の一方側に位置するように形成され、前記欠口が位置する側の縦梁の裏側に裏側遮板が設けられ、前記裏側遮板はその一端が縦梁に枢支され、他端が欠口を遮蔽するように枠体の裏側に触れるまで回転可能であり、隣り合う両板体の間に手前側遮板が設けられ、前記手前側遮板はその一端が他方の縦梁に枢支され、他端が欠口を遮蔽するように枠体の手前側に触れるまで回転可能であり、前記枠体の底部にキャスターユニットが設けられている。
【０００５】
より好ましくは、前記裏側遮板は縦梁と高さが同一である。
【０００６】
より好ましくは、前記手前側遮板に矩形貫通穴が設けられている。
【０００７】
より好ましくは、前記板体の上面にすべり防止肋が形成されている。
【考案の効果】
【０００８】
従来の技術と比較して、本考案は下記の効果がある。
本考案において、3枚板体3によって3段の構造がなされ、プリンタ、ファックスなど各種の事務機器を収納可能である。機器の配線は、半円形の欠口4内に収束される状態で、欠口4を遮蔽するように枠体の裏側に触れるまで裏側遮板5を回転させて、かつ欠口4を遮蔽するように枠体の手前側に触れるまで手前側遮板6を回転させる。このようになると、手前側遮板6と裏側遮板5の間に配線を挟んで遮蔽できるようになっている。綺麗になるとともに、配線の露出による損害を防止することができる。手前側遮板6に矩形貫通穴7が設けられるので、手前側遮板6の重さを減少できるとともに、事務機器の放熱に寄与する。また、板体3の上面にすべり防止肋8が形成されているので、ある程度のすべり防止効果が得られる。本考案は構造が簡単であり、便利に使用できる。
【図面の簡単な説明】
【０００９】
【図１】図１は本考案の構造を示す図である。
【図２】図２は本考案にかかる手前側遮板と裏側遮板を取り付けていない状態を示す構成図である。
【考案を実施するための形態】
【００１０】
下記に図面を用いて、本考案の実施形態に対して更に説明する。
【００１１】
＜実施例1＞
図1及び図2が示すように、本考案にかかる配線収納に好適な整合型事務機器収納枠は、枠体と長方形の板体3を含み、板体3は両長辺と両短辺を含み、前記枠体は対称にかつ鉛直に設置した両支持枠を含み、前記支持枠はEの字状を有し、1条の縦梁1と縦梁1の上中下に位置する3条の横梁2を含む。縦梁1が横梁2に接続する側を手前側とし、横梁2から反対側を裏側としている。前記板体3は3枚あり、一対一対応に相対向する両横梁2の間に設置されており、その短辺が両横梁2に固定的に接続され、縦梁1側の一長辺に多数個の半円形の欠口4が設けられている。前記欠口4が板体3の一方側に位置するように形成され、前記欠口4が位置する側の縦梁1の裏側に裏側遮板5が設けられ、前記裏側遮板5はその一端が縦梁1に枢支され、他端が欠口4を遮蔽するように枠体の裏側に触れるまで回転可能である。隣り合う両板体3の間に手前側遮板6が設けられ、前記手前側遮板6はその一端が他方の縦梁1に枢支され、他端が欠口4を遮蔽するように枠体の手前側に触れるまで回転可能である。前記枠体の底部にキャスターユニットが設けられている。
【００１２】
本実施例において、前記裏側遮板5は縦梁1と高さが同一である。前記手前側遮板6に矩形貫通穴7が設けられている。前記板体3の上面にすべり防止肋8が形成されている。
【００１３】
本考案において、3枚板体3によって3段の構造がなされ、プリンタ、ファックスなど各種の事務機器を収納可能である。機器の配線は、半円形の欠口4内に収束される状態で、欠口4を遮蔽するように枠体の裏側に触れるまで裏側遮板5を回転させて、かつ欠口4を遮蔽するように枠体の手前側に触れるまで手前側遮板6を回転させる。このようになると、手前側遮板6と裏側遮板5の間に配線を挟んで遮蔽できるようになっている。綺麗になるとともに、配線の露出による損害を防止することができる。手前側遮板6に矩形貫通穴7が設けられるので、手前側遮板6の重さを減少できるとともに、事務機器の放熱に寄与する。また、板体3の上面にすべり防止肋8が形成されているので、ある程度のすべり防止効果が得られる。
【００１４】
使用する際に、本考案収納枠を机上に置いて、板体3に使用対象とする事務機器を配置して、事務機器の配線を欠口4に収束させて、欠口4を遮蔽するように枠体の裏側に触れるまで裏側遮板5を回転させて、かつ欠口4を遮蔽するように枠体の手前側に触れるまで手前側遮板6を回転させるようにすれば、利用できる。
【符号の説明】
【００１５】
1  縦梁
2  横梁
3  板体
4  欠口
5  裏側遮板
6  手前側遮板
7  矩形貫通穴
8  すべり防止肋
【図１】
0003216967.tif 000003
【図２】
0003216967.tif 000004